(57)【要約】【課題】ビスや釘の引き抜き保持力を増し且つ大荷重を支持できる。【解決手段】断面Ｕ字状をした鋼鈑製の横材本体１と、横材本体１の両側片２の上端間に配置される横材本体１よりも肉厚の厚い鋼鈑製の上横板３とで構成してある。横材本体１の両側片２の上端部に全長にわたって両側片２を折り返して形成した本体側かしめ片部４を両側片２と平行に上方に向けて突設してある。上横板３の両端部から全長にわたって上横板３を折り返して形成した上横板側かしめ片部５を上横板３に対して直角に下方に向けて突設してある。横材本体１の両端上部に上方に向けて突設した本体側かしめ片部４と上横板３の両端部に下方に向けて突設した上横板側かしめ片部５とをかしめ固定して断面ロ字状をした金属製横材６を形成するとともに金属製横材６の両側上端部において両側片２に連続して該かしめ固定部７を設けてある。【選択図】        図１
2004324366.tif 000002
【特許請求の範囲】
【請求項１】
断面Ｕ字状をした鋼鈑製の横材本体と、横材本体の両側片の上端間に配置される横材本体よりも肉厚の厚い鋼鈑製の上横板とで構成され、横材本体の両側片の上端部の全長にわたって両側片を折り返して形成した本体側かしめ片部を両側片と平行に上方に向けて突設し、上横板の両端部から全長にわたって上横板を折り返して形成した上横板側かしめ片部を上横板に対して直角に下方に向けて突設し、横材本体の両端上部に上方に向けて突設した本体側かしめ片部と上横板の両端部に下方に向けて突設した上横板側かしめ片部とをかしめ固定して断面ロ字状をした金属製横材を形成するとともに金属製横材の両側上端部において両側片に連続して該かしめ固定部を設けて成ることを特徴とする金属製横材の構造。
【発明の詳細な説明】
【０００１】
【発明の属する技術分野】
本発明は、大引や根太等の金属製横材の構造に関するものである。
【０００２】
【従来の技術】
従来から一般に大引や根太としては木製の大引や木製の根太が使用されているが、近年、木材の安定供給が困難となりつつあり、このため、鋼製の大引や鋼製の根太のような金属製横材６を使用することが行われている。例えば、鋼製大引を用いる例として特許文献１が知られている。そして、これらの鋼製大引や根太は図３に示すように、鋼鈑を断面ロ字状に折り曲げて鋼鈑の両端部をかしめ固定することで形成してある。図３において７はかしめ固定部である。
【０００３】
ところで、上記の特許文献１に示される鋼製の大引には床パネルや根太を載置してビスや釘を打ち込んで鋼製の大引の上横片に固着するようにしている。そして、ビス止めや釘打ちに当たって、ビスや釘の必要な引き抜き保持力を発揮するには金属製の上横片の厚みを厚くする必要がある。このため、従来にあっては、断面ロ字状をした鋼製の大引を形成するに当たって、鋼製の大引を形成するための鋼鈑として厚みの厚い鋼鈑を用いて該鋼鈑を断面ロ字状に折り曲げて該鋼鈑の両端部の折り返し片同士をかしめ固定していた。ところが、このようにすると断面ロ字状をした鋼製の大引の全体の肉厚が厚いため、鋼製の大引の重量が重くなって取り扱いにくく施工がし難くなるという問題があり、更に、断面ロ字状をした鋼製の大引全体の肉厚を厚くするため、コストも高くなるという問題があった。
【０００４】
そこで、軽量化とコストダウンを目的として厚みの薄い鋼鈑を用いて鋼鈑を断面ロ字状に折り曲げて該鋼鈑の両端部の折り返し片同士をかしめ固定することで金属製の大引を形成することが考えられるが、これだと、上面部におけるビスや釘の引き抜き保持力が低下し、品質が安定せず、床鳴りが発生するという問題がある。
【０００５】
【特許文献１】
特開２００２−２５６６７９号公報
【０００６】
【発明が解決しようとする課題】
本発明は上記の従来例の問題点に鑑みて発明したものであって、軽量で安価でありながら上面部におけるビスや釘の引き抜き保持力を増し且つ上方からの大きな荷重を確実に支持できる金属製横材の構造を提供することを課題とするものである。
【０００７】
【課題を解決するための手段】
上記課題を解決するために本発明に係る金属製横材の構造は、断面Ｕ字状をした鋼鈑製の横材本体１と、横材本体１の両側片２の上端間に配置される横材本体１よりも肉厚の厚い鋼鈑製の上横板３とで構成され、横材本体１の両側片２の上端部に全長にわたって両側片２を折り返して形成した本体側かしめ片部４を両側片２と平行に上方に向けて突設し、上横板３の両端部から全長にわたって上横板３を折り返して形成した上横板側かしめ片部５を上横板３に対して直角に下方に向けて突設し、横材本体１の両端上部に上方に向けて突設した本体側かしめ片部４と上横板３の両端部に下方に向けて突設した上横板側かしめ片部５とをかしめ固定して断面ロ字状をした金属製横材６を形成するとともに金属製横材６の両側上端部において両側片２に連続して該かしめ固定部７を設けて成ることを特徴とするものである。
【０００８】
このような構成とすることで、断面ロ字状をした金属製横材６上面に床パネル等を載置してビス１３や釘を打ち込んで固着するに当たり、厚みの厚い上横板３にビス１３や釘が打ち込まれ、ビス１３や釘の引き抜き保持力を向上させることができるものである。しかも、横材本体１の両端上部に上方に向けて突設した本体側かしめ片部４と上横板３の両端部に下方に向けて突設した上横板側かしめ片部５とをかしめ固定して断面ロ字状をした金属製横材６を形成するとともに金属製横材６の両側上端部において両側片２に連続して該かしめ固定部７を設けるので、上方からの荷重に対して金属製横材６の両側上端部に設けた本体側かしめ片部４と上横板側かしめ片部５とが重複一体化したかしめ固定部７で強固に支持でき、特に、金属製横材６の長手方向のどの部分に上方からの荷重が作用しても金属製の横材６の両側片の上部の長手方向にわたって形成したかしめ固定部７により確実に安定して支持できるものである。
【０００９】
【発明の実施の形態】
以下、本発明を添付図面に示す実施形態に基づいて説明する。
【００１０】
大引や根太となる金属製横材６は、断面Ｕ字状をした長尺の横材本体１と、横材本体１の両側片２の上端間に配置される長尺の上横板３とで構成してある。
【００１１】
横材本体１は鋼鈑を断面Ｕ字状に折り曲げて構成してあり、横材本体１の両側片２の上端部に全長にわたって折り返して本体側かしめ片部４を形成してあり、この本体側かしめ片部４は両側片２と平行に両側片２の上端部から上方に向けて突設してある。
【００１２】
上横板３は横材本体１を形成する鋼鈑よりも厚みの厚い鋼鈑により形成してあり、該上横板３の両端部から全長にわたって上横板３を折り返して上横板側かしめ片部５を形成してあり、この上横板側かしめ片部５は上横板３の両端部から上横板３に対して直角に下方に向けて突設してある。
【００１３】
上記横材本体１の両端上部に上方に向けて突設した略Ｕ字状に折り返した本体側かしめ片部４と上横板３の両端部に下方に向けて突設した略Ｕ字状に折り返した上横板側かしめ片部５とを互いに引掛け係合した状態でかしめ固定してかしめ固定部７を形成してある。このようにかしめ固定部７で一体となるように固定することで、断面Ｕ字状をした長尺の横材本体１と横材本体１の両側片２の上端間に配置される長尺の上横板３とで断面ロ字状をした金属製横材６を構成するものであり、両かしめ固定部７はこの断面ロ字状をした金属製横材６の両側上端部においてそれぞれ両側片２に真っ直ぐに連続している。
【００１４】
上記のようにして形成した断面ロ字状をした金属製横材６は主体となる横材本体１が厚みの薄い鋼鈑により形成してあって全体としての重量の軽減化及びコストの低減化を図りながら、上面部が厚みの厚い上横板３で構成してあって、上方から打入するビス１３や釘の引き抜き保持力を向上させることができ、また、両側面部の上部は本体側かしめ片部４と上横板側かしめ片部５とが引掛け係合状態でかしめ固定された厚みの厚い補強部分となっており、この補強部分となるかしめ固定部７が断面ロ字状をした金属製横材６の両側面の上部に長手方向にわたって連続して形成してある。
【００１５】
図２には金属製横材６を大引として使用した例を示している。コンクリートべた基礎部８に立設した束９の上端部に設けた大引支持部１０に大引として用いる金属製横材６をはめ込んで支持した状態で固定する。この金属製横材６の上に床パネル１１の根太１２を載置し、上方からビス１３や釘を打入して該ビス１３や釘を金属製横材６の上横板３に固着する。床パネル１１は木製の根太１２上に面板１４を固着して構成してある。
【００１６】
ここで、ビス１３や釘が打ち込まれる上横板３は前述のように断面Ｕ字状をした長尺の横材本体１を構成する鋼鈑よりも厚みの厚い鋼鈑により形成してあるため、ビス１３のねじ部の掛かりや釘の保持を強化して引き抜き保持力が強くなるものであり、ビス１３や釘打ちによる固着が強固に且つ安定してできて、安定した品質が得られ、床パネル１１が浮くことによる音鳴りを防止することができるものである。
【００１７】
また、断面ロ字状をした金属製横材６の両側上端部において両側片２に連続して補強部となるかしめ固定部７を設けるので、上方からの荷重に対して金属製横材６の両側上端部に設けた本体側かしめ片部４と上横板側かしめ片部５とが重複一体化した補強部となるかしめ固定部７で強固に支持できることになる。この場合、特に、金属製横材６の長手方向のどの部分に上方からの荷重が作用しても金属製の横材６の両側片の上部の長手方向にわたって形成したかしめ固定部７により確実に安定して支持できるものである。
【００１８】
上記実施形態においては、金属製横材６を大引として使用し、大引の上に床パネル１１の根太を載設してビス１３や釘を打ち込んで固着する例を示したが、金属製横材６を根太として使用してもよい。金属製横材６を根太として使用する場合、根太上に面板１４を載置してビス１３や釘打ちにより面板１４を根太を構成する金属製横材６に固着するものであるが、この場合も、ビス１３や釘が打ち込まれる上横板３が断面Ｕ字状をした長尺の横材本体１を構成する鋼鈑よりも厚みの厚い鋼鈑により形成してあるため、ビス１３のねじ部の掛かりや釘の保持を強化して引き抜き保持力が強くなるものであり、ビス１３や釘打ちによる固着が強固に且つ安定してできて、安定した品質が得られ、床パネル１１が浮くことによる音鳴りを防止することができるものである。また、本実施形態においても、断面ロ字状をした金属製横材６の両側上端部において両側片２に連続して補強部となるかしめ固定部７を設けるので、上方からの荷重に対して補強部となるかしめ固定部７で強固に支持できるものである。
【００１９】
【発明の効果】
上記のように本発明の請求項１記載の発明にあっては、横材本体の両側片の上端部の全長にわたって両側片を折り返して形成した本体側かしめ片部を両側片と平行に上方に向けて突設し、上横板の両端部から全長にわたって上横板を折り返して形成した上横板側かしめ片部を上横板に対して直角に下方に向けて突設し、横材本体の両端上部に上方に向けて突設した本体側かしめ片部と上横板の両端部に下方に向けて突設した上横板側かしめ片部とをかしめ固定して断面ロ字状をした金属製横材を形成するとともに金属製横材の両側上端部において両側片に連続して該かしめ固定部を設けてあるので、断面ロ字状をした金属製横材上面に床パネル等を載置してビスや釘を打ち込んで固着するに当たり、厚みの厚い上横板にビスや釘が打ち込まれ、ビスや釘の引き抜き保持力を向上させることができ、しかも、上方からの荷重に対して金属製横材の両側上端部に設けた本体側かしめ片部と上横板側かしめ片部とが重複一体化したかしめ固定部で強固に支持でき、特に、金属製横材の長手方向のどの部分に上方からの荷重が作用しても金属製の横材の両側片の上部の長手方向にわたって形成したかしめ固定部により確実に安定して支持でき、これにより、全体の重量をできるだけ軽量化して取り扱いを容易にすると共にコストの低減を図りながら、上方から打ち込まれるビスや釘の保持力を向上させ、且つ上方からの荷重を安定して確実に支持できる金属製横材を提供することができるものである。
【図面の簡単な説明】
【図１】本発明の金属製横材の断面図である。
【図２】同上の金属製横材の一施工例を示す断面図である。
【図３】従来例を示す断面図である。
【符号の説明】
１  横材本体
２  側片
３  上横板
４  本体側かしめ片部
５  上横板側かしめ片部
６  金属製横材
７  かしめ固定部
【図１】
2004324366.tif 000003
【図２】
2004324366.tif 000004
【図３】
2004324366.tif 000005